(57)【要約】【課題】複数の光学素子を一体に進退させることが可能のレンズ枠を提供する。【解決手段】駆動手段３７からの駆動力により光軸方向に進退されることによって観察される像の倍率を変更する光学素子群のためのレンズ枠１８。光学素子群の１つの光学素子１４と、該光学素子を保持する保持枠体２２と、該保持枠体を駆動手段に連結する連結部材２３とが単一材料で一体的に形成されている。保持枠体２２には、光学素子群の少なくとも他の一つの光学素子１５を一体的に保持するための保持部３９が形成されている。【選択図】  図５
2004163751.tif 000002
【特許請求の範囲】
【請求項１】
駆動手段からの駆動力により光軸方向に進退されることによって観察される像の倍率を変更する光学素子群のためのレンズ枠であって、前記光学素子群の１つの光学素子と、該光学素子を保持する保持枠体と、該保持枠体を前記駆動手段に連結する連結部材とが単一材料で一体的に形成され、前記保持枠体には、前記光学素子群の少なくとも他の一つの光学素子を一体的に保持するための保持部が形成されているレンズ枠。
【請求項２】
前記単一材料は樹脂材料であることを特徴とする請求項１記載のレンズ枠。
【請求項３】
前記他の光学素子は樹脂またはガラスのような透明材料からなる請求項１記載のレンズ枠。
【請求項４】
前記保持枠体は、該保持枠体に一体的に形成された前記光学素子の縁部から該光学素子の光軸方向に立ち上がる一対の縦枠部分および一対の横枠部分を有する全体に矩形の枠体であり、前記保持部は、前記他の光学素子の対応する矩形の各辺を受け入れる段部を規定すべく前記縦枠部分および横枠部分の端面に形成される溝からなる請求項１記載のレンズ枠。
【請求項５】
前記他の光学素子および該光学素子を保持する前記保持部は、それぞれの寸法基準面を組み付け基準面として相互に結合されている請求項１記載のレンズ枠。
【請求項６】
前記保持枠体の対物側には、前記他の光学素子を部分的に覆うゴースト・フレア防止のための遮光手段が配置されている請求項１記載のレンズ枠。
【請求項７】
前記保持枠体には前記遮光手段を位置決めする手段が設けられている請求項６記載のレンズ枠。
【請求項８】
請求項１ないし７に記載のレンズ枠を備えることを特徴とする変倍ファインダー。
【請求項９】
請求項８に記載の変倍ファインダーを備えることを特徴とするカメラ。
【発明の詳細な説明】
【０００１】
【発明の属する技術分野】
本発明は、カメラの変倍ファインダーに用いるのに好適なレンズ枠、このレンズ枠が組み込まれた変倍ファインダーおよびこの変倍ファインダーが組み込まれたカメラに関する。
【０００２】
【従来の技術】
ズームレンズを備えるレンズシャッタカメラでは、撮影レンズ系のズーミングに応じてファインダの光学系により得られるファインダー像を拡大あるいは縮小する調整機能がファインダーに与えられている。この調整機能を有する変倍ファインダーについて、その光学素子であるレンズ毎に、該レンズと、該レンズを保持するレンズ保持枠と、撮影レンズ系のズーミングに応じてレンズ保持枠を光軸方向に移動させるための駆動機構にそれぞれ連結する連結部材とを一体成形する技術が提案されている（例えば特許文献１および特許文献２参照）。これらによれば、変倍ファインダーの構成部品数の削減を図ることができる。
【０００３】
【特許文献１】
実開平５−６４８３６号公報
【特許文献２】
特開平１１−１６７１４３号公報
【０００４】
【発明が解決しようとする課題】
しかしながら、従来のようなレンズ、保持枠および連結部材を一体成形する技術では、加工上、一つの保持枠に複数のレンズを形成することはできない。そのため、複数の光学素子で一体的に進退するレンズ群を構成しようとすると、複数のレンズ毎に形成される保持枠および連結部材を高精度で一体的に進退させる機構が必要となる。このような機構では、構成が複雑化し、また大型化すると共に、複数のレンズからなるレンズ群を高精度で一体的に進退させることは、誤差の点から、実質的に不可能であった。
【０００５】
本発明は、上記の事情に鑑みて為されたもので、その目的とするところは、複数の光学素子を一体に進退させることが可能のレンズ枠、このレンズ枠を有する変倍ファインダーまたはこの変倍ファインダーを有するカメラを提供することにある。
【０００６】
【課題を解決するための手段】
請求項１に記載の発明は、駆動手段からの駆動力により光軸方向に進退されることによって観察される像の倍率を変更する光学素子群のためのレンズ枠であって、前記光学素子群の１つの光学素子と、該光学素子を保持する保持枠体と、該保持枠体を前記駆動手段に連結する連結部材とが単一材料で一体的に形成され、前記保持枠体には、前記光学素子群の少なくとも他の一つの光学素子を一体的に保持するための保持部が形成されていることを特徴とする。
【０００７】
請求項２に記載の発明は、請求項１に記載の発明において、前記単一材料が樹脂材料であることを特徴とする。
【０００８】
請求項３に記載の発明は、請求項１に記載の発明において、前記他の光学素子が樹脂またはガラスのような透明材料からなることを特徴とする。
【０００９】
請求項４に記載の発明は、請求項１に記載の発明において、前記保持枠体が、該保持枠体に一体的に形成された前記光学素子の縁部から該光学素子の光軸方向に立ち上がる一対の縦枠部分および一対の横枠部分を有する全体に矩形の枠体であり、前記保持部が、前記他の光学素子の対応する矩形の各辺を受け入れる段部を規定すべく前記縦枠部分および横枠部分の端面に形成される溝からなることを特徴とする。
【００１０】
請求項５に記載の発明は、請求項１に記載の発明において、前記他の光学素子および該光学素子を保持する前記保持部が、それぞれの寸法基準面を組み付け基準面として相互に結合されていることを特徴とする。
【００１１】
請求項６に記載の発明は、請求項１に記載の発明において、前記保持枠体の対物側には、前記他の光学素子を部分的に覆うゴースト・フレア防止のための遮光手段が配置されていることを特徴とする。
【００１２】
請求項７に記載の発明は、請求項６に記載の発明において、前記保持枠体には前記遮光手段を位置決めする手段が設けられていることを特徴とする。
【００１３】
請求項８に記載の変倍ファインダーは、請求項１ないし７に記載のレンズ枠を備えることを特徴とする。
【００１４】
請求項９に記載のカメラは、  請求項８に記載の変倍ファインダーを備えることを特徴とする。
【００１５】
請求項１に記載の発明では、光学素子が形成された枠体の保持部に他の光学素子を取り付けることにより、複雑な駆動機構を採用することなく両光学素子を一体的に進退させることが可能となる。また、個々の光学素子毎に枠体および連結部材を設ける必要はなく、部品点数の削減が可能となる。従って、複数の光学素子からなる光学素子群を比較的単純な構成により、大型化および構成の複雑化を招くことなく、高精度で一体的に進退させることが可能となる。
【００１６】
請求項２に記載の発明では、樹脂材料を用いることにより、光学素子と、該光学素子を保持しまた他の光学素子のための保持部が形成される保持枠体と、該保持枠体を駆動手段に連結する連結部材とを比較的容易に一体的に形成することができる。
【００１７】
請求項３に記載の発明では、光学素子が一体的に形成された保持枠体に保持される他の光学素子として、樹脂成形品以外のガラス材料あるいはこれと同等の他の透明材料からなる光学素子を適宜適用することができる。
【００１８】
請求項４に記載の発明では、保持枠体を全体に矩形の枠体とし、この保持枠体の縦枠部分および横枠部分の端面に形成された溝により、他の光学素子を受け入れる段部が規定されることから、保持部が設けられた保持枠体を備えるレンズ枠を比較的容易に形成することができる。
【００１９】
請求項５に記載の発明では、光学素子を保持する保持枠体の保持部および該保持部に保持される他の光学素子のそれぞれの寸法基準面が組み付け基準面として相互に結合される。寸法基準面と組み付け基準面とが異なると、両者を組み付けたときにそれぞれの寸法基準面および組み付け基準面についての公差が累積誤差に付加されるが、寸法基準面を組み付け基準面とすることにより、組み付け時の光軸方向および該光軸方向と直角な平面上でのそれぞれの誤差を累積誤差よりも小さくすることができるので、像性能の向上を図ることができる。
【００２０】
請求項６に記載の発明では、保持枠体の対物側に配置された遮光手段によりゴーストおよびフレアを確実に防止できる。そのため、光学素子の有効径の外方で生じる内部反射等の有害光線が有効径内に作用することを確実に防止するために光学素子の外径寸法を大きく設定することなく、従って、光学素子の大型化を招くことなく、また保持枠体自体あるいは光学素子自体に反射防止のための格別な加工を施すことなく確実にゴーストあるいはフレアの発生を抑制し、比較的安価に良好な光学像を得ることができる。
【００２１】
請求項７に記載の発明では、保持枠体に設けられた前記位置決め手段により、遮光シートのような遮光手段を所定位置に迅速かつ確実に組み込むことができる。
【００２２】
請求項８および９に記載の発明では、たとえばカメラのような光学機器に組み込まれる変倍ファインダーにおいて、必要に応じて、大型化を招くことなく複数の光学素子を一体的に光軸方向へ進退させることが可能となることから、光学機器への組付けが容易となり、ファインダーの像性能の向上が図られる。
【００２３】
【発明の実施の形態】
図１および図２は本発明に係るレンズ枠をレンズシャッタ式ズームレンズ付きカメラの変倍ファインダーに適用した例を示す。また、以下の例は、本発明のレンズ枠をファインダー光学系の中の対物光学系に適用した例である。図１は本発明に係る変倍ファインダーの対物光学系を駆動する駆動機構の一部を分解して示す斜視図であり、図２は駆動機構の一部を破断して示す斜視図である。
【００２４】
本発明に係る変倍ファインダー１０は、図１および図２に示すように、カメラ本体１１に固定されるフレーム部材１２と該フレーム部材に装着される蓋体１３とを備える。フレーム部材１２は、カメラ本体１１に固定することに代えて、図示しないズームレンズ鏡筒の固定筒に固定することができる。
【００２５】
フレーム部材１２には、互いに平行に伸長する一対の側壁部１２ａ、１２ｂ（図１参照）が設けられている。一対の側壁部１２ａ、１２ｂ間にはそれぞれがレンズからなる第１、第２および第３の光学素子１４、１５および１６がそれぞれの光軸Ｏを前記一対の側壁部１２ａ、１２ｂの伸長方向に一致させて配置されている。また、フレーム部材１２の端壁部１２ｃには、対物側固定レンズである第４の光学素子１７が光軸Ｏを一致させて固定されている。この第４の光学素子１７は、従来よく知られているように、ガラス材料あるいは樹脂材料で形成することができる。
【００２６】
第１の光学素子１４は、例えばアクリル樹脂のような透明材料からなるレンズ枠１８と一体的に形成されており、該レンズ枠に例えば収差の補正のための第２の光学素子１５が取り付けられている。他方、第３の光学素子１６は、従来におけると同様な樹脂成形により、その保持枠体部１９および該保持枠体部の一側から側方に伸長する連結部２０と一体的に形成されている。保持枠体部１９の連結部２０が伸長する側と反対側には、案内部となる突起２１が形成されている。
【００２７】
第１の光学素子１４が一体的に形成されかつ第２の光学素子１５が取り付けられるレンズ枠１８は、全体に矩形の保持枠体２２と、連結部材として機能する連結部２３とを備える。連結部２３は保持枠体２２と一体的に形成され、この保持枠体２２には、第３の光学素子１６の保持枠体部１９におけると同様な突起２４が一体的に形成されている。
【００２８】
フレーム部材１２の一方の側壁部１２ａには、光軸Ｏに平行な案内溝２５および２６が直列的に配置されるように、それぞれ形成されている。案内溝２５および案内溝２６は、保持枠体部１９に設けられた突起２１およびレンズ枠１８の保持枠体２２に設けられた突起２４を摺動可能に受け入れることにより、保持枠体部１９およびレンズ枠１８をそれぞれ光軸Ｏに沿って案内する。
【００２９】
フレーム部材１２の本体部と端壁部１２ｃとの間には、レンズ枠１８および保持枠体部１９の案内のためのガイドピン２７、２８が設けられている。レンズ枠１８および保持枠体部１９の各連結部２３、２０には、それぞれに対応するガイドピン２７、２８を摺動可能に受け入れるガイド筒２９、３０が形成されている。
【００３０】
これら案内溝２５、２６およびガイドピン２７、２８の案内作用により、第１の光学素子１４が一体的に形成されかつ第２の光学素子１５が取り付けられるレンズ枠１８および第３の光学素子１６が一体的に形成された保持枠体部１９は、光軸Ｏに沿って正確に案内される。
【００３１】
各ガイド筒２９、３０には、カムフォロアとして機能するフォロアピン３１、３２が設けられており、また引張りコイルばね３３、３４の各一端が係止される係止部３５、３６が設けられている。フォロアピン３１、３２は、鏡筒（図示せず）に回転可能に保持されかつ駆動回転されるカム環３７（図３参照）に形成された各カム溝３８（図３にはその一方が示されている）に係合する。各引張りコイルばね３３、３４の他端はフレーム部材１２の本体あるいは端壁部１２ｃに係止され、そのばね力により、レンズ枠１８および保持枠体部１９に互いに近づく方向への偏倚力を与える。この偏倚力により、フォロアピン３１、３２は、それぞれのカム溝３８に遊びによるがたつきを生じることなく係合する。
【００３２】
その結果、カメラのズーム撮影レンズ光学系のズーミングのためのカム環３７が駆動回転されると、このカム環３７を駆動手段として、このカム環３７のカム溝３８の案内作用により、該カム溝にそれぞれのフォロアピン３１、３２を介して係合するレンズ枠１８および保持枠体部１９の各光学素子１４、１５および１６は、図７に示す短焦点位置（ズーム撮影レンズ光学系のワイド位置に対応する）と、長焦点位置（ズーム撮影レンズ光学系の望遠位置に対応する）との間で、第４の光学素子１７と協同して、撮影レンズ光学系のズーミングに応じた倍率でファインダー像を結像させる。
【００３３】
前記した本発明に係る変倍ファインダー１０では、そのレンズ枠１８に一体的に形成される第１の光学素子１４は、図３に拡大して示すように、円形のレンズ部１４ａと、該レンズ部の外縁からその外方に張り出す周辺部１４ｂとを備える。周辺部１４ｂは等厚寸法に形成され、その両面は平坦に形成されている。この周辺部１４ｂは、一対の縦縁および一対の横縁により規定される全体に矩形の外形を有し、この周辺部１４ｂの各縁から光軸Ｏの一方向に立ち上がる一対の縦枠部分２２ａおよび一対の横枠部分２２ｂにより、全体に矩形の保持枠体２２が構成されている。
【００３４】
保持枠体２２に取り付けられる第２の光学素子１５は、図４に示すように、円形のレンズ部１５ａと、該レンズ部を取り囲む全体に矩形の周辺部１５ｂとを有する。周辺部１５ｂは、等厚寸法を有し、その両面は平坦に形成されている。各枠部分２２ａ、２２ｂの頂面すなわち保持枠体２２の端面には、第２の光学素子１５を受け入れるための段部を規定する溝３９が形成されている。溝３９は、第２の光学素子１５の周辺部１５ｂの縁部を受け入れるべく、図３に明確に示されているように、保持枠体２２の端面の内縁を巡って形成されている。これにより保持枠体２２の前記端面には、図５に示すように、第２の光学素子１５を受け入れる段付き開口４０が規定されている。
【００３５】
図３および図５を参照するに、第２の光学素子１５が保持枠体２２に配置されたとき、保持枠体２２に段付き開口４０を規定する溝３９の底面３９ａは、第２の光学素子１５の周辺部１５ｂの平坦面１５ｃに対向する。また、溝３９の周面３９ｂは、第２の光学素子１５の周辺部１５ｂの対応する周縁面に対向する。
【００３６】
レンズ枠１８の設計に関して、この第２の光学素子１５の周縁面に対向する溝３９の周面３９ｂのうち、一方の縦枠部分２２ａに沿った周面部分３９ｂ１に沿って伸びる基準面Ｐ１が、図３で見て横方向の寸法基準面に採用されている。また、溝３９の周面３９ｂのうち、一方の横枠部分２２ｂに沿った周面部分３９ｂ２に沿って伸びる基準面Ｐ２が、図３で見て縦方向の寸法基準面に採用されている。
【００３７】
従って、レンズ枠１８の設計では、レンズ枠１８に一体に形成される第１の光学素子１４、保持枠体２２、連結部２３、該連結部に設けられるガイド筒２９、係止部３５およびフォロアピン３１等の各部の中心位置あるいは縦、横方向の寸法が、それぞれの寸法基準面Ｐ１、Ｐ２を基準に採寸されている。
【００３８】
また、レンズ枠１８に取り付けられる第２の光学素子１５においては、保持枠体２２への組み付け時に寸法基準面Ｐ１、Ｐ２となる保持枠体２２の各面３９ｂ１、３９ｂ２に対応する周面部分１５ｄ、１５ｅが寸法基準面Ｐ３、Ｐ４として採用されており、この寸法基準面を基に、第２の光学素子１５の各部の光軸Ｏと直角な平面上での採寸が行われている。
【００３９】
同様に、図５に示すように、保持枠体２２については、段付き開口４０を規定する溝３９の底面３９ａに沿った基準面Ｐ５が第１の光学素子１４の厚さ方向すなわち光軸方向での寸法基準面となる。第２の光学素子１５については、溝３９の底面３９ａに対向する第２の光学素子１５の周辺部１５ｂの平坦面１５ｃに沿った基準面Ｐ５′が寸法基準面となる。従って、保持枠体２２および第２の光学素子１５の各部の光軸Ｏ方向の採寸は、互いに対向するそれぞれの底面３９ａおよび平坦面１５ｃに沿った寸法基準面Ｐ５、Ｐ５′を基準に行われる。
【００４０】
第１の光学素子１４が一体に形成されたレンズ枠１８に第２の光学素子１５を組み付けるとき、それぞれの寸法基準面を与えた各面が組み付け基準面として用いられる。
【００４１】
すなわち、保持枠体２２の段付き開口４０に第２の光学素子１５を配置するとき、保持枠体２２の寸法基準面Ｐ５である底面３９ａと、これに対向する第２の光学素子１５の寸法基準面Ｐ５′である平坦面１５ｃとが、光軸Ｏ方向での組み付け基準面として、相互に当接される。また、保持枠体２２の寸法基準面Ｐ１である周面部分３９ｂ１と、第２の光学素子１５の寸法基準面Ｐ３である周面部分１５ｄとが、光軸Ｏと直角な平面上でのＸ方向基準面として、相互に当接される。さらに、保持枠体２２の寸法基準面Ｐ２である周面部分３９ｂ２と、第２の光学素子１５の寸法基準面Ｐ４である周面部分１５ｅとが、光軸Ｏと直角な平面上でのＹ方向基準面として、相互に当接される。
【００４２】
保持枠体２２と第２の光学素子１５との固定的な結合には、従来よく知られた接着剤を用いることができる。
【００４３】
前記した保持枠体２２への第２の光学素子１５の組み付けで、両者１５、２２の相対的な位置決めに、各寸法基準面を組み付け基準面として用いることにより、組み付け時の光軸方向および該光軸方向と直角な平面上でのそれぞれの誤差について、両者１５、２２のそれぞれの寸法基準面と組み付け基準面との間の公差分を除去することができる。従って、この除去される公差分を第２の光学素子１５を保持枠体２２への組み付けた後に生じる累積誤差から排除することができ、この排除分、光軸Ｏのずれを抑制することができので、変倍ファインダー１０により得られるファインダー像の像性能の向上を図ることができる。
【００４４】
寸法基準面と組み付け基準面とを異なる面に設定することができるが、像性能の向上を図る上で、前記したとおり、寸法基準面を組み付け基準面とすることが望ましい。
【００４５】
保持枠体２２の対物側には、図５に仮想線で示すように、遮光手段である例えば遮光シート４１が配置されている。遮光シート４１には、第２の光学素子１５の有効径部分を含む中央部分を露出させる開口４１ａが設けられ、第２の光学素子１５の対物側である入射面を部分的に覆うように、保持枠体２２の端面に固定されている。この遮光シート４１は、段付き開口４０に嵌合されるように該開口に対応した矩形形状を有し、その縁部には位置決め用の突出部４１ｂが形成されている。また、保持枠体２２の頂部には、遮光シート４１のための位置決め手段として、突出部４１ｂを受け入れる切欠部４３が形成されている。遮光シート４１は、その突出部４１ｂを保持枠体２２の切欠部４３にはめ込むことにより、適正位置に配置することができる。遮光シート４１は、この適正位置で接着剤を用いて保持枠体２２の端面に貼り付けられる。
【００４６】
遮光シート４１は、第２の光学素子１５の有効径の外周部を覆うことにより、ゴーストあるいはフレアを引き起こす不要で有害な光線が第２の光学素子１５の有効径部分の周辺から該光学素子内に入射することを防止する。これにより、第２の光学素子１５あるいはフレーム部材１２の内面に格別な反射防止処理を施すことなく、確実にゴーストあるいはフレアを防止することができ、これらゴーストあるいはフレアを生じることのない鮮明なファインダー画像を得ることができる。
【００４７】
遮光シート４１を不要とすることができるが、前記したように、光学素子１５およびフレーム部材１２への格別な反射防止処理を施すことなく確実にゴーストあるいはフレアを防止することができるので、コストの削減の点で、光学素子あるいはフレーム部材１２への反射防止処理に代えて、遮光シート４１を用いることが望ましい。
【００４８】
また、遮光シート４１は、第２の光学素子１５の周辺部１５ｂを確実に覆うことから、この周辺部１５ｂでの反射光のレンズ部１５ａへの影響を低減させるべくこの周辺部１５ｂの外形寸法の増大を図る必要はない。従って、周辺部１５ｂの寸法のコンパクト化により第２の光学素子１５の全体的な外形寸法のコンパクト化が可能となる。
【００４９】
第２の光学素子１５および遮光シート４１が組み込まれたレンズ枠１８は、前記したように、駆動手段であるカム環３７に係合するフォロアピン３１を介して、レンズ枠１８に一体に形成された第１の光学素子１４と、一体的にそれらの光軸Ｏ方向に沿って駆動される。
【００５０】
従って、第２の光学素子１５のための専用の枠体等を用いることなく、該光学素子１５を高精度で第１の光学素子１４と一体に駆動することができ、比較的単純な構成により高精度のファインダー画像を得ることが可能となる。
【００５１】
以上に説明したところでは、光学素子が一体的に形成された保持枠体に、他の一つの光学素子を取り付けた例に沿って本発明を説明を示したが、これに限らず、保持枠体に、必要な数の光学素子が相互に光学的に直列的となるように、これらを保持することができる。
【００５２】
また、前記したところでは、本発明をカメラに組み込まれた変倍ファインダーの例に沿って説明したが、本発明に係るレンズは、カメラの変倍ファインダーに限らず、双眼鏡やビデオカメラ等の光学機器に適用することができる。
【００５３】
【発明の効果】
請求項１に記載の発明によれば、複数の光学素子からなる光学素子群を比較的単純な構成により、大型化および構成の複雑化を招くことなく、高精度で一体的に進退させることが可能となる。また、別部材を介することなく群内の他の光学素子を容易に組み付けることができるレンズ枠を実現することができる。
【００５４】
請求項２に記載の発明によれば、光学素子と、該光学素子を保持しまた他の光学素子のための保持部が形成される保持枠体と、該保持枠体を駆動手段に連結する連結部材とを有するレンズ枠が比較的容易に形成できる。
【００５５】
請求項３に記載の発明によれば、光学素子が一体的に形成された保持枠体に保持される他の光学素子を樹脂成形品以外のガラス材料あるいはこれと同等の他の透明材料で適宜形成することができる。
【００５６】
請求項４に記載の発明によれば、他の光学素子のための保持部を有する保持枠体が設けられるレンズ枠を比較的容易に形成することができる。
【００５７】
請求項５に記載の発明によれば、寸法基準面を組み付け基準面とすることにより、組み付け時の光軸方向および該光軸方向と直角な平面上でのそれぞれについての組み付け後の誤差を寸法基準面の公差と組み付け基準面の公差とによる累積誤差よりも小さくすることができ、これにより、像性能の向上を図ることができる。
【００５８】
請求項６に記載の発明によれば、光学素子の大型化を招くことなく、また保持枠体自体あるいは光学素子自体に反射防止のための格別な加工を施すことなく確実にゴーストあるいはフレアの発生を抑制し、比較的安価に良好な光学像を得ることができる。
【００５９】
請求項７に記載の発明によれば、遮光シートのような遮光手段を所定位置に迅速かつ確実に組み込むことができる。
【００６０】
請求項８および９に記載の発明では、たとえばカメラのような光学機器に組み込まれる変倍ファインダーにおいて、必要に応じて、大型化を招くことなく複数の光学素子を一体的に光軸方向へ進退させることが可能となることから、光学機器への組付けが容易となり、ファインダーの像性能の向上が図られる。
【図面の簡単な説明】
【図１】本発明に係るカメラの変倍ファインダーを分解して示す斜視図である。
【図２】図１に示した変倍ファインダーの一部を破断して示す斜視図である。
【図３】本発明に係るレンズ枠を示す平面図である。
【図４】本発明に係るレンズ枠に組み付けられる他の光学素子を示す平面図である。
【図５】本発明に係るレンズ枠に他の光学素子が組み付けられた状態を示すそれらの断面図である。
【図６】本発明に係るレンズ枠に遮光手段が装着された状態を示すレンズ枠の平面図である。
【図７】本発明に係る変倍ファインダーの短焦点位置および長焦点位置における各レンズ位置を示す模式図である。
【符号の説明】
１０  変倍ファインダー
１１  カメラ本体
１４  第１の光学素子
１５  他の光学素子（第２の光学素子）
１８  レンズ枠
２２  保持枠体
２３  連結部材（連結部）
２２ａ  縦枠部分
２２ｂ  横枠部分
３７  駆動手段（カム環）
３９  保持部（溝）
４０  段付き開口
４１  遮光手段（遮光シート）
４３  位置決め手段（切欠部）
【図１】
2004163751.tif 000003
【図２】
2004163751.tif 000004
【図３】
2004163751.tif 000005
【図４】
2004163751.tif 000006
【図５】
2004163751.tif 000007
【図６】
2004163751.tif 000008
【図７】
2004163751.tif 000009